(57)【要約】【課題】  スキミングを防止する手段について、十分な信頼性を得られる必要がある。【解決手段】  記憶媒体が挿入される挿入部と、記憶媒体に対する情報読み取り及び情報書き込みの少なくともいずれかを実行するアクセス部と、を含み、その挿入部の記憶媒体が挿入される挿入経路の、その記憶媒体が挿入される方向の、軸である挿入軸に対して、そのアクセス部へその記録媒体が搬送される搬送経路の、その記憶媒体が搬送される方向の軸である搬送軸が、所定の方向への所定の角度で屈曲する。【選択図】      図１
2015060236.tif 000002
【特許請求の範囲】
【請求項１】
記憶媒体が挿入される挿入部と、
前記記憶媒体に対する情報読み取り及び情報書き込みの少なくともいずれかを実行するアクセス部と、を含み、
前記挿入部の前記記憶媒体が挿入される挿入経路の、前記記憶媒体が挿入される方向の、軸である挿入軸に対して、前記アクセス部へ前記記録媒体が搬送される搬送経路の、前記記憶媒体が搬送される方向の軸である搬送軸が、所定の方向への所定の角度で屈曲する
記録媒体アクセス装置。
【請求項２】
前記挿入部は、前記挿入軸と前記搬送軸との交点近辺を支点として、前記挿入される記録媒体の向きを前記搬送軸の方向と一致する程度に傾斜可能なように、前記交点近辺から外側に向かって開いた形状を有する
ことを特徴とする請求項１記載の記録媒体アクセス装置。
【請求項３】
前記挿入軸の方向で挿入された前記記録媒体の向きを前記搬送軸方向に変化させる、前記挿入部に近接するガイド部を更に含む
ことを特徴とする請求項１または２記載の記録媒体アクセス装置。
【請求項４】
前記記録媒体が前記挿入軸の方向から挿入されたことを検出するセンサー部と、
前記センサー部の検出した結果に基づいて、前記挿入部から前記アクセス部への前記記録媒体の搬送を可能にする搬送部と、を更に含む
ことを特徴とする請求項１乃至３のいずれか１項に記載の記録媒体アクセス装置。
【請求項５】
前記記録媒体は、磁気カードである
ことを特徴とする請求項１乃至４のいずれか１項に記載の記録媒体アクセス装置。
【請求項６】
記憶媒体が挿入される挿入部と、
前記記憶媒体に対する情報読み取り及び情報書き込みの少なくともいずれかを実行するアクセス部と、を含み、
前記挿入部の前記記憶媒体が挿入される挿入経路の、前記記憶媒体が挿入される方向の、軸である挿入軸に対して、前記アクセス部へ前記記録媒体が搬送される搬送経路の、前記記憶媒体が搬送される方向の軸である搬送軸が、所定の方向への所定の角度で屈曲する記録媒体アクセス装置が、
前記記録媒体が前記挿入軸の方向から挿入されたことを検出し、
前記検出した結果に基づいて、前記挿入部から前記アクセス部への前記記録媒体の搬送を可能にする
スキミング防止方法。
【発明の詳細な説明】
【技術分野】
【０００１】
本発明は、記録媒体をアクセスする装置に関し、特にスキミング防止の技術に関する。
【背景技術】
【０００２】
スキミングを防止するための様々な関連技術が知られている。
【０００３】
例えば、特許文献１は、記録媒体処理装置の一例を開示する。特許文献１に記載の記録媒体処理装置は、記録媒体搬送路に突起を有する。その突起は、記録媒体がその記録媒体通路に挿入された際に、その記録媒体が衝突するような突起であり、その記録媒体通路におけるその移動媒体のスムーズな移動を妨害する。換言すると、その突起は、その記録媒体の挿入速度に、不自然な変化をもたらす。
【０００４】
上述の構成を有するその記録媒体処理装置は、その記録媒体の挿入が速度を変化させることより、スキミング装置が磁気情報を正確に読み取ることを妨害する。
【０００５】
しかしながら、その記録媒体処理装置は、その突起による抵抗の影響を受けない程度に、その記録媒体の挿入が行われた場合、スキミング装置による磁気情報の正確な読取を妨害できない可能性がある。一方、ある程度強い力によりその記録媒体の挿入が行われた場合でもスキミング装置による磁気情報の正確な読取を妨害するような突起を有する場合、「その記録媒体の挿入における操作性が低下する」という問題が発生する。
【０００６】
このような問題点を解決する技術が特許文献２及び３に記載されている。
【０００７】
特許文献２は、自動取引装置の一例を開示する。特許文献２に記載の自動取引装置は、カード挿入口からのカード挿抜を妨げる位置に、ストッパを有する。そのストッパは、カード挿入時において、そのカードに自動取引装置の内部方向へ押されて、自動取引装置の内部方向へ移動する。その後、そのカードの挿入が完了すると、そのストッパは、元の位置に戻る。次に、そのストッパは、カード抜去時において、そのカードに自動取引装置の外部方向へ押されて、自動取引装置の内部方向へ移動する。
【０００８】
上述の構成を有するその自動取引装置は、スキミング装置が取り付けられた場合、そのストッパの外部方向への移動を妨げられ、結果としてカードの抜去（返却）を妨げられる。
【０００９】
特許文献３は、記録媒体読取装置の一例を開示する。特許文献３に記載の記録媒体読取装置は、記録媒体が挿入される挿入口にその記録媒体を挟持する記録媒体挟持部を備える。その記録媒体挟持部は、その記録媒体がその記録媒体読取装置の内部へ挿入される際、その記録媒体とともにその記録媒体読取装置内部へ入り込む。
【００１０】
上述の構成を有するその記録媒体読取装置は、スキミング装置が取り付けられた場合、その記録媒体挟持部がその記録媒体読取装置内部へ入り込むことを妨げられ、結果としてカードの挿入を妨げられる。
【先行技術文献】
【特許文献】
【００１１】
【特許文献１】特開２００８−３１０６２５号公報
【特許文献２】特開２００９−１８１２５１号公報
【特許文献３】特開２０１１−１４５９６１号公報
【発明の概要】
【発明が解決しようとする課題】
【００１２】
しかしながら、上述した特許文献２及び３に記載された技術においては、スキミングを防止する手段について、十分な信頼性が得られないという問題点がある。
【００１３】
その理由は、特許文献２に記載の自動取引装置も特許文献３に記載の記録媒体読取装置も、スキミングを防止するための構成に可動部分が存在し、故障率が高くなりがちだからである。
【００１４】
また、特許文献１に記載の記録媒体処理装置は、利用頻度や経年変化により、その突起が劣化する恐れがあるからである。尚、そのような劣化による「記録媒体の挿入速度に不自然な変化をもたらす」機能への影響は、予測が困難である。
【００１５】
本発明の目的は、上述した問題点を解決する記録媒体アクセス装置、自動取引装置、スキミング防止方法を提供することにある。
【課題を解決するための手段】
【００１６】
本発明の記録媒体アクセス装置は、
記憶媒体が挿入される挿入部と、
前記記憶媒体に対する情報読み取り及び情報書き込みの少なくともいずれかを実行するアクセス部と、を含み、
前記挿入部の前記記憶媒体が挿入される挿入経路の、前記記憶媒体が挿入される方向の、軸である挿入軸に対して、前記アクセス部へ前記記録媒体が搬送される搬送経路の、前記記憶媒体が搬送される方向の軸である搬送軸が、所定の方向への所定の角度で屈曲する。
【００１７】
本発明のスキミング防止方法は、
記憶媒体が挿入される挿入部と、
前記記憶媒体に対する情報読み取り及び情報書き込みの少なくともいずれかを実行するアクセス部と、を含み、
前記挿入部の前記記憶媒体が挿入される挿入経路の、前記記憶媒体が挿入される方向の、軸である挿入軸に対して、前記アクセス部へ前記記録媒体が搬送される搬送経路の、前記記憶媒体が搬送される方向の軸である搬送軸が、所定の方向への所定の角度で屈曲する記録媒体アクセス装置が、
前記記録媒体が前記挿入軸の方向から挿入されたことを検出し、
前記検出した結果に基づいて、前記挿入部から前記アクセス部への前記記録媒体の搬送を可能にする
スキミング防止方法。
【発明の効果】
【００１８】
本発明は、所要の信頼性を有するスキミング防止手段を得ることが可能になるという効果がある。
【図面の簡単な説明】
【００１９】
【図１】図１は、第１の実施形態に係る記録媒体アクセス装置の断面図である。
【図２】図２は、第１の実施形態における挿入部の正面図である。
【図３】図３は、第１の実施形態におけるアクセス部の正面図である。
【図４】図４は、第１の実施形態における、記録媒体アクセス装置へ記録媒体の挿入が開始された時点のイメージを示す図である。
【図５】図５は、第１の実施形態における、記録媒体の挿入が継続された時点のイメージを示す図である。
【図６】図６は、第１の実施形態における、記録媒体の挿入方向が変化した時点のイメージを示す図である。
【図７】図７は、第１の実施形態における、記録媒体アクセス装置内で記録媒体が搬送されるイメージを示す図である。
【図８】図８は、第１の実施形態における、スキミング装置を取り付けられた記録媒体アクセス装置へ記録媒体が挿入されるイメージを示す図である。
【図９】図９は、スキミング装置を取り付けられた関連技術の記録媒体アクセス装置へ記録媒体が挿入されるイメージを示す図である。
【図１０】図１０は、第２の実施形態に係る記録媒体アクセス装置の断面図である。
【図１１】図１１は、第２の実施形態における挿入部の正面図である。
【図１２】図１２は、第２の実施形態におけるアクセス部の正面図である。
【図１３】図１３は、第２の実施形態における、記録媒体アクセス装置へ記録媒体の挿入が開始された時点のイメージを示す図である。
【図１４】図１４は、第２の実施形態における、記録媒体の挿入が継続された時点のイメージを示す図である。
【図１５】図１５は、第２の実施形態における、記録媒体の挿入方向が変化した時点のイメージを示す図である。
【図１６】図１６は、第２の実施形態における、記録媒体アクセス装置内で記録媒体が搬送されるイメージを示す図である。
【図１７】図１７は、第２の実施形態における、スキミング装置を取り付けられた記録媒体アクセス装置へ記録媒体が挿入されるイメージを示す図である。
【図１８】図１８は、第２の実施形態の記録媒体アクセス装置において、変形スキミング装置を取り付けられ、記録媒体が挿入されるイメージを示す図である。
【図１９】図１９は、第３の実施形態に係る記録媒体アクセス装置の断面図である。
【図２０】図２０は、第３の実施形態における、記録媒体アクセス装置へ記録媒体の挿入が開始された時点のイメージを示す図である。
【図２１】図２１は、第３の実施形態における、記録媒体の挿入が継続された時点のイメージを示す図である。
【図２２】図２２は、第３の実施形態における、記録媒体アクセス装置内で記録媒体が搬送されるイメージを示す図である。
【図２３】図２３は、第３の実施形態における、変形スキミング装置を取り付けられた記録媒体アクセス装置へ記録媒体が挿入されるイメージを示す図である。
【図２４】図２４は、第４の実施形態における、記録媒体アクセス装置へ記録媒体の挿入が開始された時点のイメージを示す図である。
【図２５】図２５は、第４の実施形態における、記録媒体アクセス装置内で記録媒体が搬送されるイメージを示す図である。
【図２６】図２６は、第１乃至４の実施形態に係る記録媒体アクセス装置を含む自動取引装置の外観図である。
【発明を実施するための形態】
【００２０】
本発明を実施するための形態について図面を参照して詳細に説明する。尚、各図面及び明細書記載の各実施形態において、同様の構成要素には同様の符号を付与し、適宜説明を省略する。
【００２１】
＜＜＜第１の実施形態＞＞＞
図１は、本発明の第１の実施形態に係る記録媒体アクセス装置１００の断面図である。
【００２２】
図１に示すように、本実施形態に係る記録媒体アクセス装置１００は、挿入部１１０とアクセス部１２０とを含む。
【００２３】
＝＝＝挿入部１１０＝＝＝
図２は、第１の実施形態における挿入部１１０の正面図である。
【００２４】
記録媒体アクセス装置１００は、例えば操作者によって、挿入部１１０の開口部分１１５から記録媒体（不図示）を挿入される。
【００２５】
図１及び図２に示すように、挿入部１１０において記録媒体が挿入される経路を挿入経路１１１と呼ぶ。挿入経路１１１における記録媒体の挿入方向に対応する軸を挿入軸１１２と呼ぶ。挿入軸１１２は、開口部分１１５の開口面に対して略直行する。換言すると、開口部分１１５は、記録媒体の挿入方向に対して略垂直に、開口する。
【００２６】
＝＝＝アクセス部１２０＝＝＝
図３は、第１の実施形態におけるアクセス部１２０の正面図である。
【００２７】
アクセス部１２０は、その挿入された記憶媒体に対する情報読み取り及び情報書き込みの少なくともいずれかを実行する。
【００２８】
図１及び図３に示すように、アクセス部１２０において記録媒体が搬送される経路を搬送経路１２１と呼ぶ。搬送経路１２１における記録媒体の搬送方向に対応する軸を搬送軸１２２と呼ぶ。搬送軸１２２は、挿入軸１１２に対して所定の方向へ所定の角度で屈曲する。
【００２９】
例えば、図１に示す記録媒体アクセス装置１００の場合、搬送軸１２２は、挿入軸１１２に対して下方向に１０度程度屈曲する。尚、その所定の方向及びその所定の角度は、挿入軸１１２に沿ったままでは記録媒体を最後まで挿入することができない範囲の方向及び角度であり、かつ、その記憶媒体を傾けることにより最後まで挿入することができる範囲の方向及び角度である。従って、図１に示す例にかかわらず、その所定の方向及びその所定の角度は、対象とする記録媒体の形状や剛性（柔軟性）に適する、上述の範囲内の任意の方向及び角度であってよい。
【００３０】
次に、記録媒体アクセス装置１００の作用について説明する。
【００３１】
図４は、記録媒体アクセス装置１００に対して、記録媒体１３０の挿入が開始された時点のイメージを示す図である。図４に示すように、記録媒体１３０は、例えば操作者によって、挿入軸１１２に沿って挿入部１１０に挿入される。
【００３２】
ここで、記録媒体１３０は、例えば、磁気カードである。また、記録媒体１３０は、ＩＣ（Ｉｎｔｅｇｒａｔｅｄ  Ｃｉｒｃｕｉｔ）カードやバーコード印刷カード、他の任意の情報記録カードであってよい。
【００３３】
図５は、記録媒体１３０の挿入が継続された時点のイメージを示す図である。図５に示すように、記録媒体１３０は、挿入軸１１２に沿って、アクセス部１２０に衝突する位置まで挿入される。
【００３４】
図６は、記録媒体１３０の挿入方向が、変化した時点のイメージを示す図である。図６に示すように、記録媒体１３０の挿入方向は、挿入軸１１２に沿う方向から搬送軸１２２に沿う方向へ変更される。
【００３５】
図７は、記録媒体アクセス装置１００内で記録媒体１３０が搬送軸１２２に沿って、搬送されるイメージを示す図である。図７に示すように、挿入方向を挿入軸１１２に沿う方向から搬送軸１２２に沿う方向へ変更された記録媒体１３０は、搬送軸１２２に沿って、アクセス部１２０の内部へ搬送される。
【００３６】
次に、スキミング装置が取り付けられた場合について説明する。
【００３７】
ここで、スキミング装置は、記録媒体１３０に記録されたデータを不正に読み取るために、記録媒体アクセス装置１００に取り付けられる装置を示す。
【００３８】
例えば、磁気カードに対応するスキミング装置は、磁気データを読み取る磁気ヘッダ、磁気データを格納するメモリ、または、磁気データを無線で送信する送信機を備えている。尚、スキミング装置は、磁気カードに対応するものに限らず、ＩＣカード、バーコード印刷カード及び他の任意の情報記録カードに対応するものも、本実施形態の対象である。
【００３９】
図８は、スキミング装置１４０を取り付けられた記録媒体アクセス装置１００に記録媒体１３０を挿入するイメージを示す図である。
【００４０】
図８に示すように、スキミング装置１４０は、記録媒体アクセス装置１００の外面に、スキミング装置１４０の開口部分が開口部分１１５と略一致するように、記録媒体アクセス装置１００に、取り付けられる。換言すると、スキミング装置１４０は、記録媒体１３０がスキミング装置１４０を通り抜けて開口部分１１５に挿入されるように、取り付けられる。スキミング装置１４０は、記録媒体１３０がスキミング装置１４０を通り抜けていく際に、記録媒体１３０からデータを読み出す。
【００４１】
図８に示すように、挿入軸１１２に沿って挿入された記録媒体１３０は、スキミング装置１４０が障害物となって、その挿入方向を搬送軸１２２に沿う方向まで変更されない。このためアクセス部１２０に衝突し、途中までしか挿入されない。
【００４２】
従って、記録媒体１３０は、スキミング装置１４０を通り抜けることはなく、記録媒体１３０に記録されたデータは、スキミング装置１４０には読み取られない。
【００４３】
図９は、スキミング装置１４０を取り付けられた関連技術の記録媒体アクセス装置に記録媒体１３０を挿入するイメージを示す図である。
【００４４】
図９に示すように、関連技術の記録媒体アクセス装置においては、挿入軸９１２と搬送軸９２２とが一直線である為、記録媒体１３０の挿入方向は途中で変更される必要はない。このため、スキミング装置１４０が取り付けられていても、スキミング装置１４０は障害物にはならない。
【００４５】
従って、記録媒体１３０はスキミング装置１４０を通り抜け、その際にスキミング装置１４０にデータを読み取られてしまう。
【００４６】
上述した本実施形態における第１の効果は、所要の信頼性を有するスキミング防止手段を得ることが可能になる点である。
【００４７】
その理由は、挿入部１１０の挿入軸１１２に対して、アクセス部１２０の搬送軸１２２が、所定の方向への所定の角度で屈曲するようにしたからである。
【００４８】
上述した本実施形態における第２の効果は、スキミング装置１４０が取り付けられていることを容易に検出することが可能になる点である。
【００４９】
その理由は、第１の効果と同様である。
【００５０】
＜＜＜第２の実施形態＞＞＞
次に、本発明の第２の実施形態について図面を参照して詳細に説明する。以下、本実施形態の説明が不明確にならない範囲で、前述の説明と重複する内容については説明を省略する。
【００５１】
図１０は、本発明の第２の実施形態に係る記録媒体アクセス装置の断面図である。
【００５２】
図１０に示すように、本実施形態における記録媒体アクセス装置２００は、挿入部２１０及びアクセス部２２０を含む。
【００５３】
＝＝＝挿入部２１０＝＝＝
図１１は、第２の実施形態における挿入部２１０の正面図である。
【００５４】
挿入部２１０は、図１に示す第１の実施形態の挿入部１１０と比べて、傾斜部２１６を更に有する。
【００５５】
また、挿入部２１０は、挿入される記録媒体１３０の向きを、挿入経路１１１において搬送経路１２１の方向に一致する程度に傾斜可能なように、外側に向かって開いた形状を有する。その開いた形状を成す部分が傾斜部２１６である。ここで、記録媒体１３０は、支点２１３を回転軸として傾斜する。支点２１３は、傾斜部２１６おける最狭部であり、その最狭部が挿入軸１１２と搬送軸１２２との交点近辺であることが望ましい。換言すると、記録媒体１３０は、挿入部２１０において、挿入部２１０の最狭部を支点２１３として、搬送軸１２２に沿うように傾斜部２１６方向に傾斜可能である。
【００５６】
＝＝＝アクセス部１２０＝＝＝
図１２は、第２の実施形態におけるアクセス部２２０の正面図である。
【００５７】
アクセス部２２０は、図１に示す第１の実施形態のアクセス部１２０と比べて、ガイド部２２７を更に有する点が異なる。
【００５８】
ガイド部２２７は、搬送軸１２２に近接するアクセス部２２０の一部であって、挿入軸１１２の方向で挿入された記録媒体１３０の向きを、搬送軸１２２の方向に変化させる。
【００５９】
次に、記録媒体アクセス装置２００の作用について説明する。
【００６０】
図１３は、記録媒体アクセス装置２００に対して、記録媒体１３０の挿入が開始された時点のイメージを示す図である。図１３に示すように、記録媒体１３０は、例えば操作者によって、挿入軸１１２に沿って挿入部２１０に挿入される。
【００６１】
図１４は、記録媒体１３０の挿入が継続された時点のイメージを示す図である。図１４に示すように、記録媒体１３０は、挿入軸１１２に沿って、アクセス部２２０に衝突する位置まで挿入される。
【００６２】
図１５は、記録媒体１３０の挿入方向が、変化した時点のイメージを示す図である。図１５に示すように、記録媒体１３０の挿入方向は、支点２１３を略中心にして傾斜部２１６に従って、挿入軸１１２に沿う方向から搬送軸１２２に沿う方向へ傾けられる。更に、記録媒体１３０の挿入方向は、ガイド部２２７に従って、搬送軸１２２に沿う方向へ変化する。
【００６３】
図１６は、記録媒体アクセス装置２００内で記録媒体１３０が搬送軸１２２に沿って、搬送されるイメージを示す図である。図１６に示すように、挿入方向を挿入軸１１２に沿う方向から搬送軸１２２に沿う方向へ変更された記録媒体１３０は、搬送軸１２２に沿って、アクセス部２２０の内部へ搬送される。
【００６４】
次に、スキミング装置１４０が取り付けられた場合について説明する。
【００６５】
図１７は、スキミング装置１４０を取り付けられた記録媒体アクセス装置２００に記録媒体１３０を挿入するイメージを示す図である。
【００６６】
図１７に示すように、スキミング装置１４０は、記録媒体アクセス装置２００の外面に、スキミング装置１４０の開口部分が開口部分１１５と略一致するように、記録媒体アクセス装置１００に、取り付けられる。スキミング装置１４０は、記録媒体１３０がスキミング装置１４０を通り抜けていく際に、記録媒体１３０からデータを読み出す。
【００６７】
図１７に示すように、挿入軸１１２に沿って挿入された記録媒体１３０は、スキミング装置１４０が障害物となって、その挿入方向を搬送軸１２２に沿う方向まで変更されない。このためアクセス部２２０に衝突し、途中までしか挿入されない。
【００６８】
従って、記録媒体１３０は、スキミング装置１４０を通り抜けることはなく、記録媒体１３０に記録されたデータは、スキミング装置１４０には読み取られない。
【００６９】
上述した本実施形態における第１の効果は、第１の実施形態の効果に加えて、記録媒体１３０を挿入する操作を容易にすることが可能になる点である。
【００７０】
その理由は、挿入部２１０が傾斜部２１６を含み、アクセス部２２０がガイド部２２７を含むようにしたからである。
【００７１】
＜＜＜第３の実施形態＞＞＞
次に、本発明の第３の実施形態について図面を参照して詳細に説明する。以下、本実施形態の説明が不明確にならない範囲で、前述の説明と重複する内容については説明を省略する。
【００７２】
第３の実施形態は、第１の実施形態の記録媒体アクセス装置１００及び第２の実施形態の記録媒体アクセス装置２００ではスキミングを防止できないようなスキミング装置に対処する実施形態である。
【００７３】
まず、記録媒体アクセス装置１００及び記録媒体アクセス装置２００ではスキミングを防止できない場合について説明する。
【００７４】
図１８は、変形スキミング装置１４１を取り付けられた記録媒体アクセス装置２００（記録媒体アクセス装置２００自体は不図示）に、記録媒体１３０が挿入されるイメージを示す図である。
【００７５】
図１８に示すように、変形スキミング装置１４１は、記録媒体１３０が最初から搬送軸１２２に沿って挿入されるような形状を有し、かつそのような挿入がなされるように取り付けられている。従って、記録媒体１３０は、変形スキミング装置１４１を通り抜けて記録媒体アクセス装置２００に挿入され、その際に変形スキミング装置１４１にデータを読み取られてしまう。
【００７６】
本実施形態の記録媒体アクセス装置は、記録媒体１３０が挿入軸１１２の方向から挿入されたことを検出するセンサー部と、そのセンサー部の検出した結果に基づいて、挿入部２１０からアクセス部２２０への記録媒体１３０の搬送を可能にする搬送部と、を更に含む。
【００７７】
図１９は、第３の実施形態に係る記録媒体アクセス装置３００の断面図である。
【００７８】
図１９に示すように、本実施形態における記録媒体アクセス装置３００は、第２の実施形態の記録媒体アクセス装置２００と比べて、カード検出部３５０、スイッチ３５１及びローラ３５２を更に含む。
【００７９】
カード検出部３５０とスイッチ３５１とは、合わせてセンサー部とも呼ばれる。スイッチ３５１は、挿入軸１１２に沿って挿入された記録媒体１３０によって押される。カード検出部３５０は、スイッチ３５１が押されたことにより記録媒体１３０が挿入されたことを検出する。尚、センサー部は、スイッチに限らず、光学センサーであってもよい。
【００８０】
ローラ３５２は、搬送部とも呼ばれる。ローラ３５２は、カード検出部３５０からその検出したことの結果を通知されると、記録媒体１３０を内部に引き込むように回転を開始する。即ち、挿入部２１０からアクセス部２２０へ記録媒体１３０の搬送を可能とする。尚、ローラ３５２が回転していない場合は、ローラ３５２との摩擦抵抗により、記録媒体１３０を挿入することが困難である。尚、搬送部は、記録媒体１３０を引き込むようなローラ３５２に限らず、その検出したことの結果を通知された場合に開く、シャッターであってもよい。
【００８１】
次に、記録媒体アクセス装置３００の作用について説明する。
【００８２】
図２０は、記録媒体アクセス装置３００に対して、記録媒体１３０の挿入が開始された時点のイメージを示す図である。図２０に示すように、記録媒体１３０は、例えば操作者によって、挿入軸１１２に沿って挿入部２１０に挿入される。
【００８３】
図２１は、記録媒体１３０の挿入が継続された時点のイメージを示す図である。図２１に示すように、記録媒体１３０は、挿入軸１１２に沿って、アクセス部２２０に衝突する位置まで挿入される。同時に、スイッチ３５１は記録媒体１３０に押され、カード検出部３５０は記録媒体１３０が挿入軸１１２に沿って挿入されたことを検出する。次に、カード検出部３５０は、その検出したことをローラ３５２に通知する。その通知を受信したローラ３５２は、回転を開始する。
【００８４】
図２２は、記録媒体アクセス装置３００内で記録媒体１３０が搬送軸１２２に沿って、搬送されるイメージを示す図である。
【００８５】
図２２に示すように、記録媒体１３０は、ローラ３５２の回転により、挿入軸１１２に沿う方向から搬送軸１２２に沿う方向へと傾けられ、搬送経路１２１へ引き込まれて搬送される。
【００８６】
次に、変形スキミング装置１４１が取り付けられた場合について説明する。
【００８７】
図２３は、変形スキミング装置１４１を取り付けられた記録媒体アクセス装置３００に記録媒体１３０を挿入するイメージを示す図である。
【００８８】
図２３に示すように、変形スキミング装置１４１は、記録媒体１３０が最初から搬送軸１２２に沿って挿入されるような形状を有する。そして、変形スキミング装置１４１は、記録媒体１３０が最初から搬送軸１２２に沿って挿入されるように、記録媒体アクセス装置３００の外面に取り付けられている。
【００８９】
図２３に示すように、最初から搬送軸１２２に沿って挿入された記録媒体１３０は、スイッチ３５１を押すことなく、ローラ３５２に衝突する。しかし、スイッチ３５１が押されていないためにローラ３５２は回転しておらず、それ以上奥へ記録媒体１３０を挿入することは困難である。
【００９０】
従って、記録媒体１３０は、変形スキミング装置１４１を通り抜けることはなく、記録媒体１３０に記録されたデータは、変形スキミング装置１４１には読み取られない。
【００９１】
上述した本実施形態における効果は、第２の実施形態の効果に加えて、記録媒体アクセス装置２００に適応した変形スキミング装置１４１に対しても、所要の信頼性を有するスキミング防止手段を得ることが可能になる点である。
【００９２】
その理由は、センサー部（カード検出部３５０及びスイッチ３５１）が挿入軸１１２の方向からの記録媒体１３０の挿入を検出し、搬送部（ローラ３５２）がその検出した結果に基づいて記録媒体１３０の搬送を可能とするようにしたからである。
【００９３】
＜＜＜第４の実施形態＞＞＞
次に、本発明の第４の実施形態について図面を参照して詳細に説明する。以下、本実施形態の説明が不明確にならない範囲で、前述の説明と重複する内容については説明を省略する。
【００９４】
第４の実施形態は、挿入軸１１２に対して搬送軸１２２が、向かって左方向へ１５度程度屈曲する場合の実施形態である。
【００９５】
図２４は、本実施形態の記録媒体アクセス装置（不図示）の挿入部４１０に対して、記録媒体１３０の挿入が開始された時点のイメージを示す図である。図２４に示すように、記録媒体１３０は、例えば操作者によって、挿入軸１１２に沿って挿入部４１０に挿入される。
【００９６】
図２５は、本実施形態の記録媒体アクセス装置内で記録媒体１３０が搬送軸１２２に沿って、搬送されるイメージを示す図である。
【００９７】
図２５に示すように、記録媒体１３０は、挿入軸１１２に沿う方向から搬送軸１２２に沿う方向へと傾けられ、搬送経路１２１へ挿入される。
【００９８】
本実施形態の記録媒体アクセス装置においても、上述の第１乃至３の実施形態と同様の構成を含み、同様の効果を得ることができる。
【００９９】
また、本実施形態の記録媒体アクセス装置は、上述の第１乃至３の実施形態の記録媒体アクセス装置に比べて、高さのサイズを小さくすることが可能である。
【０１００】
以上説明した、第１乃至４の記録媒体アクセス装置は、他の装置に組み込まれてもよい。図２６は、第１乃至４の実施形態に係る記録媒体アクセス装置を含む自動取引装置５００の外観図である。図２６に示す挿入部５１０は、第１乃至４の実施形態における挿入部１１０、挿入部２１０及び挿入部４１０に対応する。換言すると、自動取引装置５００は、記録媒体アクセス装置とも呼ばれる。
【０１０１】
以上の各実施形態で説明した各構成要素は、必ずしも個々に独立した存在である必要はない。例えば、各構成要素は、複数の構成要素が１個のモジュールとして実現されてよい。また、各構成要素は、１つの構成要素が複数のモジュールで実現されてもよい。また、各構成要素は、ある構成要素が他の構成要素の一部であるような構成であってよい。また、各構成要素は、ある構成要素の一部と他の構成要素の一部とが重複するような構成であってもよい。
【０１０２】
以上説明した各実施形態における各構成要素及び各構成要素を実現するモジュール（例えば、アクセス部、センサー部や搬送部）は、必要に応じ、可能であれば、ハードウェア的に実現されてよい。また、各構成要素及び各構成要素を実現するモジュールは、コンピュータ及びプログラムで実現されてよい。また、各構成要素及び各構成要素を実現するモジュールは、ハードウェア的なモジュールとコンピュータ及びプログラムとの混在により実現されてもよい。
【０１０３】
そのプログラムは、例えば、磁気ディスクや半導体メモリなど、不揮発性のコンピュータ可読記録媒体に記録されて提供され、コンピュータの立ち上げ時などにコンピュータに読み取られる。この読み取られたプログラムは、そのコンピュータの動作を制御することにより、そのコンピュータを前述した各実施形態における構成要素として機能させる。
【０１０４】
また、以上説明した各実施形態では、複数の動作をフローチャートの形式で順番に記載してあるが、その記載の順番は複数の動作を実行する順番を限定するものではない。このため、各実施形態を実施するときには、その複数の動作の順番は内容的に支障しない範囲で変更することができる。
【０１０５】
以上、各実施形態及び実施例を参照して本発明を説明したが、本発明は上記実施形態及び実施例に限定されるものではない。本発明の構成や詳細には、本発明のスコープ内で当業者が理解しえるさまざまな変更をすることができる。
【０１０６】
１００    記録媒体アクセス装置
１１０    挿入部
１１１    挿入経路
１１２    挿入軸
１２０    アクセス部
１２１    搬送経路
１２２    搬送軸
１３０    記録媒体
１４０    スキミング装置
１４１    変形スキミング装置
２００    記録媒体アクセス装置
２１０    挿入部
２１３    支点
２１６    傾斜部
２２０    アクセス部
２２７    ガイド部
３００    記録媒体アクセス装置
３５０    カード検出部
３５１    スイッチ
３５２    ローラ
４１０    挿入部
５００    自動取引装置
５１０    挿入部
【図１】
2015060236.tif 000003
【図２】
2015060236.tif 000004
【図３】
2015060236.tif 000005
【図４】
2015060236.tif 000006
【図５】
2015060236.tif 000007
【図６】
2015060236.tif 000008
【図７】
2015060236.tif 000009
【図８】
2015060236.tif 000010
【図９】
2015060236.tif 000011
【図１０】
2015060236.tif 000012
【図１１】
2015060236.tif 000013
【図１２】
2015060236.tif 000014
【図１３】
2015060236.tif 000015
【図１４】
2015060236.tif 000016
【図１５】
2015060236.tif 000017
【図１６】
2015060236.tif 000018
【図１７】
2015060236.tif 000019
【図１８】
2015060236.tif 000020
【図１９】
2015060236.tif 000021
【図２０】
2015060236.tif 000022
【図２１】
2015060236.tif 000023
【図２２】
2015060236.tif 000024
【図２３】
2015060236.tif 000025
【図２４】
2015060236.tif 000026
【図２５】
2015060236.tif 000027
【図２６】
2015060236.tif 000028